(57)【特許請求の範囲】
【請求項１】
透水性を有するように形成された舗装用ブロック本体と、この舗装用ブロック本体の外周面に該舗装用ブロック本体を敷設した場合に、目地幅を保つことができるように中央部より上部に垂直に形成した目地保持突起と、前記舗装用ブロック本体の外周部を除く底面に形成した貯水用凹部と、前記舗装用ブロック本体の底面外周部に前記貯水用凹部と連通するように形成された切欠部とからなることを特徴とする透水性舗装用ブロック。
【請求項２】
透水性を有するように形成された舗装用ブロック本体と、この舗装用ブロック本体の外周面に該舗装用ブロック本体を敷設した場合に、目地幅を保つことができるように中央部より上部に垂直に形成した目地保持突起と、前記舗装用ブロック本体の外周部を除く底面に形成した貯水用凹部と、前記舗装用ブロック本体の底面外周部に前記貯水用凹部と連通するように形成された切欠部と、前記舗装用ブロック本体の下部角部に該舗装用ブロック本体を敷設した場合に、目地部に敷砂の侵入を容易にできるように形成された面取り部とからなることを特徴とする透水性舗装用ブロック。
【請求項３】
透水性を有するように形成された舗装用ブロック本体と、この舗装用ブロック本体の外周面に該舗装用ブロック本体を敷設した場合に、目地幅を保つことができるように中央部より上部に垂直に形成した目地保持突起と、前記舗装用ブロック本体の底面外周部に底面積の３７パーセント以上を残し、該舗装用ブロック本体の体積の２０パーセント以上に形成された貯水用凹部と、前記舗装用ブロック本体の底面外周部に前記貯水用凹部と連通するように形成された切欠部とからなることを特徴とする透水性舗装用ブロック。
【発明の詳細な説明】
【０００１】
【発明の属する技術分野】
本発明は透水性舗装用ブロックに関する。
【０００２】
【従来の技術】
従来の透水性舗装用ブロックはブロックの表面の角部に面取り部を形成するとともに、敷設した場合の目地幅を確保するために、側面の中央部より下部に垂直な目地保持突起を形成している。
【０００３】
【発明が解決しようとする課題】
従来の透水性舗装用ブロックは表面の角部に面取りがされているので、目地幅が面取り分だけ広くなり、車椅子利用者が段差と感じ、走行上の障害になるという欠点があった。
また、敷設されたブロックに大きな荷重が加わったりした場合、ブロックの側面の目地保持突起の下端部を支点として回動し、目地幅が広くなり過ぎ、前記障害がさらに大きくなるという欠点があるとともに、十分な貯水能力が得られないという欠点があった。
【０００４】
本発明は以上のような従来の欠点に鑑み、車椅子利用者が段差と感じることなく走行することができるとともに、敷設されたブロックに大きな荷重が加わっても、目地幅が大きく変化するのを効率よく阻止することができ、かつ十分な貯水能力が得られる透水性舗装用ブロックを提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は透水性を有するように形成された舗装用ブロック本体と、この舗装用ブロック本体の外周面に該舗装用ブロック本体を敷設した場合に、目地幅を保つことができるように中央部より上部に垂直に形成した目地保持突起と、前記舗装用ブロック本体の外周部を除く底面に形成した貯水用凹部と、前記舗装用ブロック本体の底面外周部に前記貯水用凹部と連通するように形成された切欠部とで透水性舗装用ブロックを構成している。
【０００７】
【発明の実施の形態】
以下、図面に示す実施の形態により、本発明を詳細に説明する。
【０００８】
図１ないし図１１に示す本発明の第１の実施の形態において、１は本発明の透水性舗装用ブロックで、この透水性舗装用ブロック１は砂利、砕石等の骨材をセメント等の結合剤で透水性を有するように接合した舗装用ブロック本体２と、この舗装用ブロック本体２の外周面の各面に、該舗装用ブロック本体２を敷設した場合に、目地幅を保つことができるように中央部より上部に垂直に形成した複数個の目地保持突起３、３、３、３、３、３と、前記舗装用ブロック本体２の下部角部に該舗装用ブロック本体２を敷設した場合に、目地部４に敷砂５の侵入を容易にできるように形成された面取り部６と、前記舗装用ブロック本体２の底面積の３７パーセント以上を外周部に有するように、該外周部を除く底面に該舗装用ブロック本体２の体積の２０パーセント以上になるように形成した逆円錐形、逆円錐台形、逆角錐形あるいは逆角錐台形状の貯水用凹部７と、前記舗装用ブロック本体２の底面外周部に前記貯水用凹部７と連通するように形成された複数個、本発明の実施の形態では長辺側に２個づつ、短辺側に１個づつ形成された切欠部８、８、８、８、８、８とで構成されている。
【０００９】
前記複数個の目地保持突起３、３、３、３、３、３は前記舗装用ブロック本体２の長辺側の左右部位には敷設した場合に重なり合うことなく、ほぼ均一な配置となるようにそれぞれ２個配置され、短辺側にも敷設した場合に重なり合うことなく、かつ均一な目地部となるようにそれぞれ１個配置され、これらの目地保持突起３、３、３、３、３、３の上部は型を用いて成型される関係で、前記舗装用ブロック本体２の上面位置と面一状態に形成されている。
【００１０】
上記構成の透水性舗装用ブロック１は敷砂５によるサンドクッション上に、図１および図２に示すように隣り合う透水性舗装用ブロック１、１、１、１の複数個の目地保持突起３、３、３、３、３、３の先端部が隣り合う透水性舗装用ブロック１、１、１、１の外周面に当接するように敷設される。
【００１１】
この透水性舗装用ブロック１の敷設状態では、透水性舗装用ブロック１、１間の目地部４は目地保持突起３、３、３、３、３、３によって一定の目地幅になるとともに、舗装用ブロック本体２の下部に形成された面取り部６によって、図２に示すように敷設時に目地部４に敷砂５が容易に侵入して、目地部４に生じる隙間を覆うことができる。
【００１２】
敷設された透水性舗装用ブロック１は、雨水を貯水用凹部７内に貯水することができ、敷設された透水性舗装用ブロック１上に水溜まりができるのを防止できる。
【００１３】
また、敷設された透水性舗装用ブロック１に、該ブロック１が傾くような大きな荷重が加わった場合には、図１０および図１１に示すように中央部よりも上部位置に形成された複数個の目地保持突起３、３の当接や面取り部６、６より目地部４に侵入した敷砂５によって、透水性舗装用ブロック１の傾きを阻止するとともに、傾いた場合でも上部の目地幅寸法が大きくなるのを防止できる。
すなわち、図１１に示すように上部の目地幅が広くなる場合には、目地保持突起３の舗装用ブロック本体２の中央部部位が支点となって回動するため、従来のブロックのようにブロックの下部を支点にして回動するものより、回動量が小さくなるからである。
【００１４】
【発明の異なる実施の形態】
次に、図１２ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１２ないし図１６に示す本発明の第２の実施の形態において、前記本発明の第１の実施の形態と主に異なる点は、舗装用ブロック本体２の長辺側の一方および短辺側の一方に少なくとも各２個以上、本発明の実施の形態では、長辺側に３個、短辺側に２個の目地保持突起３、３、３、３、３を形成した点で、このように構成した透水性舗装用ブロック１Ａにしても、前記本発明の第１の実施の形態と同様な作用効果が得られる。
【００１６】
図１７ないし図１９に示す本発明者が考えた舗装用ブロックにおいて、前記本発明の第１の実施の形態と主に異なる点は、舗装用ブロック本体２の底面外周部に切欠部を形成することなく、貯水用凹部７を形成した点で、このように構成した透水性舗装用ブロック１Ｂにしても、前記本発明の第１の実施の形態と同様な作用効果が得られる。
【００１７】
図２０ないし図２２に示す本発明者が考えた舗装用ブロックにおいて、前記本発明の第１の実施の形態と主に異なる点は、貯水用凹部を形成しない舗装用ブロック本体２Ａを用いた点で、このように形成した透水性舗装用ブロック１Ｃにしてもよい。
【００１８】
なお、前記本発明の各実施の形態では舗装用ブロック本体２、２Ａの下部角部に面取り部６を形成するものについて説明したが、本発明はこれに限らず、面取り部のない舗装用ブロック本体を用いてもよい。
【００１９】
【発明の効果】
以上の説明から明らかなように、本発明にあっては次に列挙する効果が得られる。
【００２０】
（１）透水性を有するように形成された舗装用ブロック本体と、この舗装用ブロック本体の外周面に該舗装用ブロック本体を敷設した場合に、目地幅を保つことができるように中央部より上部に垂直に形成した目地保持突起と、前記舗装用ブロック本体の外周部を除く底面に形成した貯水用凹部と、前記舗装用ブロック本体の底面外周部に前記貯水用凹部と連通するように形成された切欠部とで構成されているので、敷設された状態でブロックが回動するような大きな荷重が加わっても、舗装用ブロック本体の外周面の中央部より上部に目地保持突起を形成しているため、該目地保持突起の下端部を支点として舗装用ブロック本体が回動するため、従来のブロックのように下端部を支点に回動するものに比べ、上部の目地幅が大きくなるのを半減させることができる。
したがって、車椅子での走行時に段差を感じることなく、スムーズに走行することができる。
【００２１】
（２）前記（１）によって、目地保持突起を舗装用ブロック本体の外周面に垂直に形成しているので、従来と同様に型成形することができる。
したがって、従来と同様なコストで製造することができる。
【００２２】
（３）前記（１）によって、敷設時に敷砂を面取り部よりスムーズに目地部へ侵入させることができる。
したがって、敷設した舗装用ブロックの移動や回動を効率よく阻止することができる。
【００２３】
（４）前記（１）によって、舗装用ブロック本体の底面に形成した貯水用凹部に雨水等を貯水することができる。
したがって、貯水能力が増大し、従来のように敷設されたブロックの上面に水溜まりが生じたりする不具合を確実に防止することができる。
【００２４】
（５）請求項３も前記（１）〜（４）と同様な効果が得られるとともに、十分な接地面積と、貯水用体積の確保を図ることができる。
【図面の簡単な説明】
【図１】本発明の第１の実施の形態の敷設した状態の平面図。
【図２】図１の２−２線に沿う拡大断面図。
【図３】本発明の第１の実施の形態の貯水状態の説明図。
【図４】本発明の第１の実施の形態の平面図。
【図５】本発明の第１の実施の形態の側面図。
【図６】本発明の第１の実施の形態の正面図。
【図７】本発明の第１の実施の形態の底面図。
【図８】図４の８−８線に沿う断面図。
【図９】図４の９−９線に沿う断面図。
【図１０】上部の目地幅が狭くなる回動状態の説明図。
【図１１】上部の目地幅が広くなる回動状態の説明図。
【図１２】本発明の第２の実施の形態の敷設した状態の平面図。
【図１３】本発明の第２の実施の形態の平面図。
【図１４】本発明の第２の実施の形態の側面図。
【図１５】本発明の第２の実施の形態の正面図。
【図１６】図１３の１６−１６線に沿う断面図。
【図１７】本発明者が考えた舗装用ブロックの平面図。
【図１８】本発明者が考えた舗装用ブロックの底面図。
【図１９】図１７の１９−１９線に沿う断面図。
【図２０】本発明者が考えた舗装用ブロックの平面図。
【図２１】本発明者が考えた舗装用ブロックの底面図。
【図２２】図２０の２２−２２線に沿う断面図。
【符号の説明】
１、１Ａ、１Ｂ、１Ｃ：透水性舗装用ブロック、
２、２Ａ：舗装用ブロック本体、
３：目地保持突起、       ４：目地部、
５：敷砂、               ６：面取り部、
７：貯水用凹部、         ８：切欠部。
【図１】
0004611550.tif 000002
【図２】
0004611550.tif 000003
【図３】
0004611550.tif 000004
【図４】
0004611550.tif 000005
【図５】
0004611550.tif 000006
【図６】
0004611550.tif 000007
【図７】
0004611550.tif 000008
【図８】
0004611550.tif 000009
【図９】
0004611550.tif 000010
【図１０】
0004611550.tif 000011
【図１１】
0004611550.tif 000012
【図１２】
0004611550.tif 000013
【図１３】
0004611550.tif 000014
【図１４】
0004611550.tif 000015
【図１５】
0004611550.tif 000016
【図１６】
0004611550.tif 000017
【図１７】
0004611550.tif 000018
【図１８】
0004611550.tif 000019
【図１９】
0004611550.tif 000020
【図２０】
0004611550.tif 000021
【図２１】
0004611550.tif 000022
【図２２】
0004611550.tif 000023